(57)【要約】【課題】水切り部材同士を接続するための作業性を向上させるとともに、外観を損なうことなく２つの水切り部材を接続することを可能にする。【解決手段】水切り部材１は、垂直平面状の取付板部１１と、取付板部１１の下端から前面側斜め下方へ傾斜して延出する雨水案内板部１２と、雨水案内板部１２の前端から下方へ延出する前垂れ板部１３とを有する本体部１０を含む。方向Ａにおいて、本体部１０の一端部には、方向Ａに突出する接続板部２０が形成されている。接続板部２０は、その表面２０ａが厚み方向に関して本体部１０の表面１０ａから凹んだ位置に配置されている。【選択図】図２
2017223057.tif 000002
【特許請求の範囲】
【請求項１】
垂直平面状の取付板部と、前記取付板部の下端から前面側斜め下方へ傾斜して延出する雨水案内板部と、前記雨水案内板部の前端から下方へ延出する前垂れ板部とを有する本体部を備える建物の水切り部材であって、
前後方向と直交する直交方向において、前記本体部の一端部には、前記直交方向に突出する接続板部が形成されており、
前記接続板部は、その表面が厚み方向に関して前記本体部の表面から凹んだ位置に配置されていることを特徴とする水切り部材。
【請求項２】
前記接続板部は、前記本体部の前記一端部において、前記取付板部の下部から前記雨水案内板部の前端に亘って連続して形成されていることを特徴とする請求項１に記載の水切り部材。
【請求項３】
前記接続板部は、前記本体部の前記一端部において、前記雨水案内板部の前端から前記前垂れ板部の少なくとも一部に亘って連続して形成されていることを特徴とする請求項２に記載の水切り部材。
【請求項４】
前記本体部は、前記前垂れ板部の下部から後方に延出し、厚み方向に孔が形成された底板部をさらに有しており、
前記接続板部は、前記本体部の前記一端部において、前記底板部以外の少なくとも一部に形成されていることを特徴とする請求項１〜３のいずれか１項に記載の水切り部材。
【発明の詳細な説明】
【技術分野】
【０００１】
本発明は、建物の土台部、屋根、ベランダ、バルコニー等の建物の外壁から張り出したオーバーハング部の下端部等に取り付けられる水切り部材に関する。
【背景技術】
【０００２】
建物の土台部やオーバーハング部の外壁の下端部に取り付けられる水切り部材を左右方向（前後方向に直交する直交方向）に連続させて複数取付ける場合に、板状のジョイント部材を水切り部材の内側に設けた係合溝に係合させて接続することが提案されている（特許文献１参照）。
【先行技術文献】
【特許文献】
【０００３】
【特許文献１】特開２０１５−４５２０１号公報
【発明の概要】
【発明が解決しようとする課題】
【０００４】
しかしながら、上記特許文献１に記載の技術においては、屈曲した板状のジョイント部材を用いるため、水切り部材の接続端部の係合溝に係合させるのが難しく作業性が低下する。しかも水切り部材とは別にジョイント部材が必要なため、部材管理が煩わしいという問題がある。
【０００５】
この部材管理の煩わしさを解消するために、ジョイント部材を用いずに、２つの水切り部材の左右方向の端部同士を上下に重ねて取り付けることも考えられる。しかしながら、例えば、土台に水切り部材を取付けていく場合、土台に描かれた水平線である罫書きに沿って水切り部材を取付けていく必要があるが、水切り部材を重ねて接続すると水切り部材の高さ位置がずれてしまい、取付け作業が困難となる。また、一方の水切り部材の端部表面に他方の水切り部材の端部を重ねると、他方の水切り部材が外側に出っ張って段差が生じ、外壁材などを取り付ける際の障害になったり、外観を損なうという問題が生じる。
【０００６】
そこで、本発明の目的は、水切り部材同士を接続するための作業性を向上させるとともに、外観を損なうことなく２つの水切り部材を接続することが可能な水切り部材を提供することである。
【課題を解決するための手段】
【０００７】
本発明の水切り部材は、垂直平面状の取付板部と、前記取付板部の下端から前面側斜め下方へ傾斜して延出する雨水案内板部と、前記雨水案内板部の前端から下方へ延出する前垂れ板部とを有する本体部を備える建物の水切り部材であって、前後方向と直交する直交方向において、前記本体部の一端部には、前記直交方向に突出する接続板部が形成されており、前記接続板部は、その表面が厚み方向に関して前記本体部の表面から凹んだ位置に配置されている。
【０００８】
これによると、水切り部材とは別体のジョイント部材を用いなくても、２つの水切り部材のうちの一方の水切り部材の接続板部上に他方の水切り部材の他端部を重ねて、当該２つの水切り部材を直交方向に接続することができるとともに、２つの水切り部材の接続部分に段差が生じにくくなる。このように２つの水切り部材を接続するためにジョイント部材を用いる必要がなくなることで、作業性が向上し、２つの水切り部材の接続部分に段差が生じにくくなることで、外観を損なうことなく水切り部材同士を接続することができる。
【０００９】
また、本発明において、前記接続板部は、前記本体部の前記一端部において、前記取付板部の下部から前記雨水案内板部の前端に亘って連続して形成されていることが好ましい。これにより、接続された２つの水切り部材の本体部の境界から雨水が浸入しても当該雨水を前方（前垂れ板部側）へと案内することができ、２つの水切り部材の接続部分から雨水が浸入するのを抑制することができる。また、接続板部に屈曲部を持たせることができて接続板部の強度が向上し、接続板部が変形しにくくなる。このため、接続された２つの水切り部材のうちの上側に位置する水切り部材が浮き上がるのを抑制することができる。
【００１０】
また、本発明において、前記接続板部は、前記本体部の前記一端部において、前記雨水案内板部の前端から前記前垂れ板部の少なくとも一部に亘って連続して形成されていることが好ましい。これにより、接続板部に２つの屈曲部を持たせることができて接続板部の強度がさらに向上する。
【００１１】
また、本発明において、前記本体部は、前記前垂れ板部の下部から後方に延出し、厚み方向に孔が形成された底板部をさらに有しており、前記接続板部は、前記本体部の前記一端部において、前記底板部以外の少なくとも一部に形成されていることが好ましい。これにより、本体部が底板部を有していても、２つの水切り部材を容易に接続させることが可能となる。
【発明の効果】
【００１２】
本発明の水切り部材によると、水切り部材とは別体のジョイント部材を用いなくても、２つの水切り部材のうちの一方の水切り部材の接続板部上に他方の水切り部材の他端部を重ねて、当該２つの水切り部材を直交方向に接続することができるとともに、２つの水切り部材の接続部分に段差が生じにくくなる。このように２つの水切り部材を接続するためにジョイント部材を用いる必要がなくなることで、作業性が向上し、２つの水切り部材の接続部分に段差が生じにくくなることで、外観を損なうことなく水切り部材同士を接続することができる。
【図面の簡単な説明】
【００１３】
【図１】本発明の一実施形態に係る水切り部材を建物の土台に取り付けた状態を示す概略断面図である。
【図２】図１に示す水切り部材の側面図である。
【図３】図２に示す水切り部材の要部正面図である。
【図４】図２に示す水切り部材の要部平面図である。
【図５】２つの水切り部材が接続された状況を示す要部平面図である。
【発明を実施するための形態】
【００１４】
以下、本発明の一実施形態に係る水切り部材１を図１〜図５を参照しながら説明する。図１は、本発明の一実施形態に係る水切り部材を建物の土台に取り付けた状態を示している。本実施形態における建物１００は、図示しない建築物を支持する基礎１０１、基礎パッキン１０２及び土台１０３などを有する。
【００１５】
基礎１０１は、地面から上方に立ち上がって形成されており、図１中紙面垂直方向Ａに長尺に延在している。基礎１０１の屋外側の側面１０１ａには、化粧モルタル１０４が形成されている。基礎パッキン１０２は、方向Ａに沿って長尺に形成されており、基礎１０１上に設置されている。また、基礎パッキン１０２には、屋外側と屋内側とを連通させるための複数の換気孔１０２ａが形成されている。複数の換気孔１０２ａは、方向Ａに沿って互いに離隔して形成されている。土台１０３も、方向Ａに沿って長尺に形成されており、基礎パッキン１０２上に設置されている。土台１０３の屋外側の側面１０３ａには、雨水などの浸入を防ぐための複数の水切り部材１が、方向Ａに沿って並べて取り付けられている。
【００１６】
本実施形態における水切り部材１は、図２に示すように、取付板部１１と、雨水案内板部１２と、前垂れ板部１３と、底板部１４とを有する本体部１０を有しており、方向Ａに長尺に形成されている。水切り部材１は、例えば、０．３５ｍｍの鋼板を折り曲げて構成されている。なお、鋼板の厚みは特に限定するものではない。また、水切り部材１については、その屋外側を前方とし、屋内側を後方として以下に説明する。また、方向Ａは、水平方向であって前後方向Ｂと直交する直交方向である。
【００１７】
取付板部１１は、上下方向Ｃに沿って垂直平面状に形成されており、土台１０３に釘などで取り付けられる。雨水案内板部１２は、取付板部１１の下端から前面１１ａ側斜め下方へ傾斜して延出されている。これにより、土台１０３の側面１０３ａ側に形成される外壁材（不図示）から雨水案内板部１２上に落下してきた雨水を前垂れ板部１３側へと案内することができる。前垂れ板部１３は、雨水案内部１２の前端から鉛直方向下方へ延出されている。底板部１４は、前垂れ板部１３の下部から後方に延出されている。
【００１８】
底板部１４は、前垂れ板部１３の下端から上方に折り返されてなる第１折り返し部１４ａと、第１折り返し部１４ａの上端から後方に向かって水平に延在する水平部１４ｂと、水平部１４ｂの後端から前方に折り返されてなる第２折り返し部１４ｃとを有する。水平部１４ｂの前方部分には、図４に示すように、方向Ａに沿って互いに離隔して配置された複数の換気孔１４ｄが形成されている。これにより、換気孔１４ｄ及び基礎パッキン１０２の換気孔１０２ａによって、屋外側と屋内側とを連通させることができ、屋内側を換気することができる。
【００１９】
方向Ａにおいて、本体部１０の一端部（図３及び図４中右端部）には、方向Ａに沿って突出する接続板部２０が形成されている。接続板部２０は、本体部１０を構成する鋼板の一部が折り曲げられることで構成されており、図３及び図４に示すように、その表面２０ａが厚み方向に関して本体部１０の表面１０ａから凹んだ位置に配置されている。
【００２０】
より詳細には、接続板部２０は、図２〜図４に示すように、第１垂直平面部２１と、傾斜部２２と、第２垂直平面部２３とを有する。第１垂直平面部２１は、取付板部１１の一端部の全体に亘って形成されている。第１垂直平面部２１の表面２１ａは、図２及び図４に示すように、取付板部１１の前面（表面）１１ａから後方に凹んだ位置に配置されている。傾斜部２２は、雨水案内板部１２の一端部の全体に亘って形成されている。傾斜部２２の表面２２ａは、図２及び図３に示すように、雨水案内板部１２の表面１２ａから下方に凹んだ位置に配置されている。第２垂直平面部２３は、前垂れ板部１３の一端部の下端部を除く部分に亘って形成されている。第２垂直平面部２３の表面２３ａは、図２及び図４に示すように、前垂れ板部１３の表面１３ａから後方に凹んだ位置に配置されている。
【００２１】
第１垂直平面部２１、傾斜部２２及び第２垂直平面部２３は、互いに連続して構成されている。このため、接続板部２０には、２つの屈曲部２５，２６が構成されている。このため、接続板部２０の強度が向上し、変形しにくくなる。
【００２２】
続いて、２つの水切り部材１を方向Ａに沿って並べて土台１０３に取り付けたときの状況について、図５を参照しつつ以下に説明する。図５に示すように、まず、２つの水切り部材１のうちの一方の水切り部材１（図中左側の水切り部材１）を土台１０３の側面１０３ａに釘などで取り付ける。この後、他方の水切り部材１（図中右側の水切り部材１）の本体部１０の他端部（図中左端部）を、一方の水切り部材１の接続板部２０上に重ねて、２つの水切り部材１を接続する。
【００２３】
本実施形態における接続板部２０は、その表面２０ａが本体部１０の表面１０ａから０．５ｍｍに凹んだ位置に配置されている。このため、接続板部２０の表面２０ａに塗装を施したとしても、本体部１０の表面１０ａから接続板部２０の表面２０ａ（塗装面）までの段差が本体部１０の板厚以上となる。したがって、２つの水切り部材１を接続した場合でも、両水切り部材１の表面１０ａ間にはほとんど段差が生じなくなる。さらに、接続板部２０には２つの屈曲部２５，２６が構成され、強度が向上して変形しにくく、しかも水切り部材１は取付板部１１、雨水案内板部１２及び前垂れ板部１３を備えているために、接続板部２０上に重ねられる他方の水切り部材１の本体部１０の他端部には異なる方向に屈曲された少なくとも２つの屈曲部が形成されているので、２つの水切り部材１を接続した場合でも、他方の水切り部材１の上側への浮き上がり防止することができ、接続部分で両者間に隙間が生じにくくなる。
【００２４】
一方の水切り部材１に接続された他方の水切り部材１を、土台１０３の側面１０３ａに釘などで取り付ける。こうして、２つの水切り部材１の取り付けが完了する。なお、２つの水切り部材１を方向Ａに連続するように接続してから、両者を土台１０３の側面１０３ａに釘などで取り付けてもよい。
【００２５】
以上に述べたように、本実施形態の水切り部材１によると、水切り部材１とは別体のジョイント部材を用いなくても、２つの水切り部材１のうちの一方の水切り部材１の接続板部２０上に他方の水切り部材１の本体部１０の他端部を重ねて、当該２つの水切り部材１を方向Ａに接続することができるとともに、２つの水切り部材１の接続部分に段差が生じにくくなる。また、土台１０３に描いた罫書きに沿って水切り部材１を一部重複させながら水平を保ちつつ順次接続して取り付けていくことができる。このように２つの水切り部材１を接続するためにジョイント部材を用いる必要がなくなること、さらには水平に順次取り付けていくことができることで、作業性が向上し、２つの水切り部材１の接続部分に段差が生じにくくなることで、外観を損なうことなく水切り部材１同士を接続することができる。
【００２６】
また、接続板部２０が、本体部１０の一端部において、取付板部１１の下部から雨水案内板部１２の前端に亘って連続して形成されている。これにより、接続された２つの水切り部材１の本体部１０の境界（継ぎ目）３０（図５参照）から雨水が浸入しても接続板部２０で前垂れ板部１３側に案内することが可能となる。このため、２つの水切り部材１の接続部分から雨水が浸入するのを抑制することが可能になる。また、接続板部２０に屈曲部２５を持たせることができて、接続板部２０の強度が向上し、接続板部２０が変形しにくくなる。加えて、上側に重ねられる他方の水切り部材１の本体部１０の他端部は、少なくとも異なる方向に屈曲された２つの屈曲部を有している。このため、接続された２つの水切り部材１のうちの上側に位置する水切り部材１が浮き上がるのを抑制することができ、接続部からの雨水の浸入を防止することができる。
【００２７】
また、接続板部２０が、本体部１０の一端部において、雨水案内板部１２から前垂れ板部１３の一部に亘って連続して形成されている。これにより、接続板部２０に２つの屈曲部２５，２６を持たせることができて、接続板部２０の強度がさらに向上する。
【００２８】
また、本体部１０が、底板部１４を有し、接続板部２０が、本体部１０の一端部において、底板部１４以外に形成されている。これにより、本体部１０が底板部１４を有していても、２つの水切り部材１を容易に接続させることが可能となる。また、水切り部材１の製造が容易となる。
【００２９】
以上、本発明の好適な実施の形態について説明したが、本発明は上述の実施の形態に限られるものではなく、特許請求の範囲に記載した限りにおいて様々な変更が可能なものである。例えば、上述の接続板部２０が、本体部１０の方向Ａの一端部において、前垂れ板部１３の下端にまで形成されていてもよい。また、接続板部２０は、本体部１０の方向Ａの一端部において、取付板部１１、雨水案内板部１２及び前垂れ板部１３のいずれかの少なくとも一部にだけ形成されていてもよい。また、接続板部２０は、本体部１０の方向Ａの一端部において、取付板部１１の下部から雨水案内板部１２に亘ってのみ連続して形成されていてもよい。また、接続板部２０は、本体部１０の方向Ａの一端部において、雨水案内板部１２から前垂れ板部１３に亘ってのみ連続して形成されていてもよい。
【００３０】
また、本体部１０の表面１０ａから接続板部２０の表面２０ａまでの段差が本体部１０の板厚未満であってもよい。また、本体部１０が底板部１４を有していなくてもよい。
【００３１】
上述の水切り部材１は、土台１０３に取り付けられた例のみ示しているが、当然、屋根、ベランダ、バルコニー等の建物の外壁から張り出したオーバーハング部などに取り付けて用いることも可能である。
【符号の説明】
【００３２】
１  水切り部材
１０  本体部
１０ａ  表面
１１  取付板部
１２  雨水案内板部
１３  前垂れ板部
１４  底板部
１４ｄ  換気孔
２０  接続板部
２０ａ  表面
【図１】
2017223057.tif 000003
【図２】
2017223057.tif 000004
【図３】
2017223057.tif 000005
【図４】
2017223057.tif 000006
【図５】
2017223057.tif 000007